Podtech/llm-jp-corpus-v4-ja_patent huggingface dataset:
【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2017527578.tif 000001
によって表される、Ｎ−（２−（ジメチルアミノ）エチル）−３−（２−（４−（４−エトキシ−６−オキソ−１，６−ジヒドロピリジン−３−イル）−２−フルオロフェニル）アセトアミド）−５−（トリフルオロメチル）ベンズアミドである化合物またはその薬学的に許容可能な塩。
【請求項２】
式（Ｉ）：
【化２】
2017527578.tif 000002
によって表される、Ｎ−（２−（ジメチルアミノ）エチル）−３−（２−（４−（４−エトキシ−６−オキソ−１，６−ジヒドロピリジン−３−イル）−２−フルオロフェニル）アセトアミド）−５−（トリフルオロメチル）ベンズアミドである化合物。
【請求項３】
塩酸塩、アスパラギン酸塩、馬尿酸塩およびリン酸塩からなる群から選択される、請求項１に記載の化合物の薬学的に許容可能な塩。
【請求項４】
塩酸塩である、請求項１に記載の化合物の薬学的に許容可能な塩。
【請求項５】
結晶形である、請求項４に記載の薬学的に許容可能な塩。
【請求項６】
前記結晶形が、ＣｕＫα放射線を用いて測定した際に、約８．３，８．４，１０．７，１１．３，１５．５，１６．０，２０．０，２０．４，２０．８，２２．６，２３．２，２３．３，２３．６，２４．６，２４．９，２５．３，２５．９，２６．９，２７．３，２７．４，２８．１および２８．２度  ２θからなる群から選択される、少なくとも３つの回折角を含んでなるＸ線粉末回折（ＸＲＰＤ）パターンによって特徴付けられる、請求項５に記載の薬学的に許容可能な塩。
【請求項７】
前記結晶形が、ＣｕＫα放射線を用いて測定した際に、約１６．０，２０．０，２２．６，２３．３および２６．９度  ２θの回折角を含んでなるＸ線粉末回折（ＸＲＰＤ）パターンによって特徴付けられる、請求項５に記載の薬学的に許容可能な塩。
【請求項８】
請求項１〜７のいずれか一項に記載の化合物または薬学的に許容可能な塩および薬学的に許容可能な賦形剤を含んでなる医薬組成物。
【請求項９】
ＲＥＴ（Rearranged during Transfection）キナーゼにより媒介される疾患の治療のための薬剤の製造における、請求項１〜７のいずれか一項に記載の化合物または薬学的に許容可能な塩の使用。
【請求項１０】
ＲＥＴキナーゼにより媒介される前記疾患が、過敏性腸症候群、過敏性腸症候群に関連する疼痛、機能性便秘、機能性下痢、慢性特発性便秘、機能性腹痛症候群、機能性肛門直腸痛および炎症性腸疾患からなる群から選択される、請求項９に記載の使用。
【請求項１１】
ＲＥＴキナーゼにより媒介される前記疾患が、過敏性腸症候群である、請求項９に記載の使用。
【請求項１２】
ＲＥＴキナーゼにより媒介される前記疾患が、過敏性腸症候群に関連する疼痛である、請求項９に記載の使用。
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
対照血球レベルと比較した血球レベルの低下の予防および／または治療に用いられる、ニコチンアミドリボシド、Ｎ−ホルミルキヌレニン、キノリン酸、ニコチンアミドリボシドキナーゼアクチベーター、およびトリプトファンから選択される、ミトコンドリア膜電位低下剤。
【請求項２】
該血球レベルの低下が、重度の好中球減少症および／または重度の血小板減少症である、請求項１に記載の用途のためのミトコンドリア膜電位低下剤。
【請求項３】
経口投与または非経口投与される、請求項１または２に記載の用途のためのミトコンドリア膜電位低下剤。
【請求項４】
ニコチンアミドリボシドである、請求項１から３のいずれか一項に記載の用途のためのミトコンドリア膜電位低下剤。
【請求項５】
エクスビボで造血幹細胞を増殖するための方法であって、
ａ）細胞増殖培養培地中にあるＨＳＣサンプルを用意する工程と、
ｂ）前記ＨＳＣサンプルから、低いミトコンドリア膜電位を特徴とするＨＳＣ画分を、単離ＨＳＣプールに単離する工程と、
ｃ）前記ｂ）で単離したＨＳＣプールを、ミトコンドリア膜電位低下剤と接触させる工程と
を含んでなる、方法。
【請求項６】
工程ｃ）において得られたＨＳＣサンプルが、長期多系統血液再構成能力を有する機能性幹細胞が富化されてなるものである、請求項５に記載の方法。
【請求項７】
前記ＨＳＣサンプルが骨髄サンプルおよび／または骨髄細胞調製物である、請求項５または６に記載の方法。
【請求項８】
前記ミトコンドリア膜電位低下剤が、以下の群：２，４ジ−ニトロフェノール、カルボニルシアニド４−（トリフルオロメトキシ）フェニルヒドラゾン、カルボニルシアニドｍ−クロロフェニルヒドラジン、２−フルオロフェニル）｛６−［（２−フルオロフェニル）アミノ］（１，２，５−オキサジアゾロ［３，４−ｅ］ピラジン−５−イル）｝アミンおよび４，５，６，７−テトラクロロ−２−トリフルオロメチルベンズイミダゾールから選択される、請求項５〜７のいずれか一項に記載の方法。
【請求項９】
前記ミトコンドリア膜電位低下剤が、カルボニルシアニド４−（トリフルオロメトキシ）フェニルヒドラゾンである、請求項５〜８のいずれか一項に記載の方法。
【請求項１０】
前記ミトコンドリア膜電位低下剤が、ニコチンアミドリボシド、Ｎ−ホルミルキヌレニン、キノリン酸、ニコチンアミドリボシドキナーゼアクチベーター、およびトリプトファンから選択される、請求項５〜７のいずれか一項に記載の方法。
【請求項１１】
長期多系統血液再構成能力を有する機能性造血幹細胞を選択するためのキットであって、ｉ）表現型によって定義された造血幹細胞および前駆細胞の表面マーカーまたはそれらマーカーの組み合わせについての少なくとも２つの検出剤、およびｉｉ）造血幹細胞および前駆細胞における低いミトコンドリア膜電位を検出するための少なくとも１つの薬剤、例えばＪＣ１またはＴＭＲＭ色素とを含んでなる、キット。
【請求項１２】
表現型によって定義された造血幹細胞および前駆細胞の前記少なくとも２つの検出剤が、ｃ−Ｋｉｔ、Ｌｉｎ−、Ｓｃａ−１、ＣＤ１５０、ＣＤ４８およびＣＤ３４から選択される前記表面マーカーに対する２つ以上の選択的抗体である、請求項１３に記載のキット。
【請求項１３】
造血幹細胞調製物のための細胞増殖培養培地であって、ニコチンアミドリボシド、Ｎ−ホルミルキヌレニン、キノリン酸、ニコチンアミドリボシドキナーゼアクチベーター、およびトリプトファンから選択される少なくとも１つのミトコンドリア膜電位低下剤またはその混合物を含んでなる、細胞増殖培養培地。
【請求項１４】
４ジ−ニトロフェノール、カルボニルシアニド４−（トリフルオロメトキシ）フェニルヒドラゾン、カルボニルシアニドｍ−クロロフェニルヒドラジン、２−フルオロフェニル）｛６−［（２−フルオロフェニル）アミノ］（１，２，５−オキサジアゾロ［３，４−ｅ］ピラジン−５−イル）｝アミンおよび４，５，６，７−テトラクロロ−２−トリフルオロメチルベンズイミダゾールまたはそれらの混合物から選択される少なくとも１つのミトコンドリア膜電位低下剤を含んでなる、造血幹細胞調製物のための細胞増殖培養培地。
【請求項１５】
ニコチンアミドリボシド、Ｎ−ホルミルキヌレニン、キノリン酸、ニコチンアミドリボシドキナーゼアクチベーター、およびトリプトファンから選択される少なくとも１つのミトコンドリア膜電位低下剤を含んでなる、対照血球レベルと比較した血球レベルの低下の予防および／または治療に用いられるフードサプリメント。
【請求項１６】
前記ミトコンドリア膜電位低下剤が、ニコチンアミドリボシドである、請求項１５に記載のフードサプリメント。
【請求項１７】
ニコチンアミドリボシド、Ｎ−ホルミルキヌレニン、キノリン酸、ニコチンアミドリボシドキナーゼアクチベーター、およびトリプトファンから選択される少なくとも１つのミトコンドリア膜と、薬学的に許容され得る担体、希釈剤または賦形剤とを含んでなる医薬組成物であって、さらに助剤を含んでなり、当該助剤が造血機能の欠如に関連する疾患または障害を予防または治療するために有用な、または血液回復を促進するために、および／または造血細胞欠失患者における感染症のリスクを予防もしくは軽減するために有用なものである、医薬組成物。
【請求項１８】
前記ミトコンドリア膜電位低下剤が、ニコチンアミドリボシドである、請求項１７に記載の医薬組成物。
【請求項１９】
前記助剤が、Ｇ−ＣＳＦ類似体およびＴＰＯ受容体類似体またはそれらの混合物から選択される、請求項１７または１８に記載の医薬組成物。
【請求項２０】
造血幹細胞移植後の被験体、または固形腫瘍のための破壊的化学療法を受けているかまたは重度の免疫学的障害を患っている被験体に用いられる、請求項１〜４のいずれか一項に記載のミトコンドリア膜電位低下剤。
【請求項２１】
標準血液プロファイルの回復を促進するための、および／または造血細胞欠失患者における感染症のリスクを予防もしくは軽減するための、ニコチンアミドリボシド、Ｎ−ホルミルキヌレニン、キノリン酸、ニコチンアミドリボシドキナーゼアクチベーター、およびトリプトファンから選択される、ミトコンドリア膜電位低下剤。
【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
羊膜、絨毛膜、中間組織層、またはそれらのいずれかの組み合わせからなる群から選択される微粒子化胎盤組織と、適切な賦形剤中の生体適合性接着剤または生体適合性ゲル化剤と、を含む組成物であって、対象に適用する前には流動性の形態である、組成物。
【請求項２】
前記組成物が、対象に適用する前には液体、ゲル、またはペーストである、請求項１に記載の組成物。
【請求項３】
前記組成物が、対象に適用した後に固体、半固体、またはゲルとなる、請求項１または２に記載の組成物。
【請求項４】
前記生体適合性ゲル化剤が、熱感受性ゾルゲル可逆性ハイドロゲルを含む、請求項１に記載の組成物。
【請求項５】
前記生体適合性ゲル化剤がポロクサマーである、請求項４に記載の組成物。
【請求項６】
前記生体適合性接着剤が、ポリアクリレート、ポリイソブチレン、マロン酸メチリデンポリマー、およびシアノアクリレートからなる群から選択される、請求項１に記載の組成物。
【請求項７】
前記微粒子化胎盤組織および前記生体適合性の接着剤またはゲル化剤が、創傷に適用する直前に混合される、請求項１〜６のいずれか１項に記載の組成物。
【請求項８】
前記微粒子化胎盤組織が、１００μｍ未満の粒径を有する、請求項１〜７のいずれか１項に記載の組成物。
【請求項９】
局所用の組成物または噴霧可能な組成物である、請求項１〜８のいずれか１項に記載の組成物。
【請求項１０】
創傷を手当するためのシステムであって、
羊膜、絨毛膜、中間組織層、またはそれらのいずれかの組み合わせからなる群から選択される微粒子化胎盤組織を含む第１の組成物であって、流動性の形態である第１の組成物、
適切な賦形剤中に生体適合性の接着剤またはゲル化剤を含む第２の組成物であって、流動性の形態である第２の組成物、および
投与装置であって、前記投与装置の中に配置された前記第１の組成物を有する第１のチャンバと、前記投与装置の中に保存された前記第２の組成物を有する第２のチャンバと、前記投与装置から前記第１の組成物および第２の組成物を排出するように構成された１つまたは複数の開口部と、を含む投与装置、
を含むシステム。
【請求項１１】
前記微粒子化胎盤組織が、１００μｍ未満の粒径を有する、請求項１１に記載のシステム。
【請求項１２】
前記生体適合性ゲル化剤が、熱感受性ゾルゲル可逆性ハイドロゲルを含む、請求項１０〜１１のいずれか１項に記載のシステム。
【請求項１３】
前記生体適合性ゲル化剤がポロクサマーを含む、請求項１０〜１１のいずれか１項に記載のシステム。
【請求項１４】
前記生体適合性接着剤が、ポリアクリレート、ポリイソブチレン、マロン酸メチリデンポリマー、およびシアノアクリレートからなる群から選択される、請求項１０〜１１のいずれか１項に記載のシステム。
【請求項１５】
前記投与装置が、デュアルチャンバの噴霧器またはダブルシリンジを含む、請求項１０〜１４のいずれか１項に記載のシステム。
【請求項１６】
治癒を促進させるように創傷を手当するための方法であって、請求項１〜９のいずれか１項の記載の組成物を創傷に適用することを含む、方法。
【請求項１７】
治癒を促進させるように創傷を手当するための方法であって、
請求項１０〜１５のいずれか１項に記載のシステムを準備するステップと、
対象の創傷部位の上に前記投与装置を配置するステップと、
前記第１および第２の組成物を前記創傷の上に同時に適用するために前記投与装置に力を加えるステップであって、前記投与装置に力を加えることが、前記第１のチャンバおよび前記第２のチャンバ内の圧力および／または体積を変化させ、前記第１のチャンバからの前記第１の組成物の排出および前記第２のチャンバからの前記第２の組成物の排出をもたらす、ステップと、
を含む方法。
【請求項１８】
前記第１の組成物および第２の組成物が、前記投与装置の近位開口部からの排出の前に、チャンバまたはチューブの中で混合する、請求項１７に記載の方法。
【請求項１９】
前記第１の組成物が第１のノズルまたは開口部から排出され、前記第２の組成物が第２のノズルまたは開口部から排出され、前記第１の組成物および第２の組成物の混合が前記投与装置の外部でのみ起こる、請求項１７に記載の方法。
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
Ｈ鎖可変領域（ＶＨ）及びＬ鎖可変領域（ＶＬ）を含む、抗セラミド抗体またはその抗原結合性フラグメントであって：
前記ＶＨは、配列：ＧＹＴＦＴＤＨＴＩＨ（配列番号１）を含むＨ鎖可変領域ＣＤＲ１、配列：ＹＮＹＰＲＤＧＳＴＫＹＮＥＫＦＫＧ（配列番号２）を含む前記Ｈ鎖可変領域ＣＤＲ２、及び、配列：ＧＦＩＴＴＶＶＰＳＡＹ（配列番号３）を含むＨ鎖可変領域ＣＤＲ３を含み、並びに、
前記ＶＬは、配列：ＲＡＳＫＳＩＳＫＹＬＡ（配列番号４）を含むＬ鎖可変領域ＣＤＲ１、配列：ＳＧＳＴＬＱＳ（配列番号５）を含むＬ鎖可変領域ＣＤＲ２、及び、配列：ＱＱＨＮＥＹＰＷＴ（配列番号６）を含むＬ鎖可変領域ＣＤＲ３を含む、
前記抗体またはその抗原結合性フラグメント。
【請求項２】
抗セラミド抗体またはその抗原結合性フラグメントであって：
配列番号７を含むＨ鎖可変領域配列と少なくとも約９０％の配列同一性を有する配列；および／または、
配列番号８を含むＬ鎖可変領域配列と少なくとも約９０％の配列同一性を有する配列、
【請求項３】
抗セラミド抗体またはその抗原結合性フラグメントであって：
配列：ＱＶＱＬＱＱＳＤＡＥＬＶＫＰＧＡＳＶＫＩＳＣＫＶＳＧＹＴＦＴＤＨＴＩＨＷＭＫＱＲＰＥＱＧＬＥＷＩＧＹＮＹＰＲＤＧＳＴＫＹＮＥＫＦＫＧＫＡＴＬＴＡＤＫＳＳＳＴＡＹＭＱＬＮＳＬＴＳＥＤＳＡＶＹＦＣＡＫＧＦＩＴＴＶＶＰＳＡＹＷＧＱＧＴＬＶＴＶＳＡ（配列番号４８）であるＨ鎖可変領域配列；および／または、
配列：ＤＶＱＩＴＱＳＰＳＹＬＡＡＳＰＧＥＴＩＴＩＮＣＲＡＳＫＳＩＳＫＹＬＡＷＹＱＥＫＰＧＫＴＮＫＬＬＩＹＳＧＳＴＬＱＳＧＩＰＳＲＦＳＧＳＧＳＧＴＤＦＴＬＴＩＳＳＬＥＰＥＤＦＡＭＹＹＣＱＱＨＮＥＹＰＷＴＦＧＧＧＴＫＬＥＩＫ（配列番号８）であるＬ鎖可変領域配列、
を含む前記抗体またはその抗原結合性フラグメント。
【請求項４】
請求項１〜３のいずれか一項に記載の抗セラミド抗体またはその抗原結合性フラグメントであって、前記抗体がモノクローナル抗体、キメラ抗体、ヒト化抗体、ヒト抗体、およびｓｃＦｖからなる群から選択される、前記抗体またはその抗原結合性フラグメント。
【請求項５】
請求項４に記載の抗セラミド抗体であって、ｓｃＦｖである前記抗体。
【請求項６】
請求項１に記載の前記抗セラミド抗体またはその抗原結合性フラグメントと同じ抗原決定基と結合する、抗セラミド抗体またはその抗原結合性フラグメント。
【請求項７】
請求項１〜６のいずれか一項に記載の抗セラミド抗体またはその抗原結合性フラグメントであって、抗体またはその抗原結合性フラグメントは、吸入、静脈内、筋肉内、腹腔内、脳脊椎液内、皮下、滑液包内、くも膜下腔内、経口、または局所投与のために調剤されている、前記抗体またはその抗原結合性フラグメント。
【請求項８】
それを必要とする対象においてアポトーシスを阻害するための薬剤の製造における、請求項１〜７のいずれか一項に記載の抗セラミド抗体またはその抗原結合性フラグメントの使用。
【請求項９】
請求項８に記載の使用であって、前記アポトーシスが移植片対宿主病、放射能疾患、ＧＩ症候群および自己免疫性疾患からなる群から選択される疾患に随伴する前記使用。
【請求項１０】
請求項９に記載の使用であって、前記疾患が放射能疾患またはＧＩ症候群であり、かつ前記抗セラミド抗体またはその抗原結合性フラグメントが、前記対象が放射線に被曝する前に投与される、前記使用。
【請求項１１】
請求項９に記載の使用であって、前記疾患が移植片対宿主病であり、かつ前記対象が移植片を受ける前に前記抗セラミド抗体またはその抗原結合性フラグメントが投与される前記使用。
【請求項１２】
請求項１１に記載の使用であって、前記移植片が骨髄移植片である前記使用。
【請求項１３】
対象の透過線への被曝後のＧＩ症候群である該対象におけるにおけるアポトーシスの緩和のための薬剤の製造における、請求項１〜７のいずれか一項に記載の抗セラミド抗体またはその抗原結合性フラグメントの使用。
【請求項１４】
請求項１３に記載の使用であって、前記対象の透過線への被曝直後に前記抗セラミド抗体またはその抗原結合性フラグメントを投与する前記使用。
【請求項１５】
請求項１３に記載の使用であって、前記対象の透過線への被曝後２４時間以内に前記抗セラミド抗体またはその抗原結合性フラグメントを投与する前記使用。
【請求項１６】
対象が移植片を受ける前または前記対象が移植片を受けた後のＧｖＨＤ発症前の、該対象におけるＧｖＨＤにおけるアポトーシスの阻害のための薬剤の製造における、請求項１〜７のいずれか一項に記載の抗セラミド抗体またはその抗原結合性フラグメントの使用。
【請求項１７】
請求項１６に記載の使用であって、前記移植片が骨髄移植片である前記使用。
【手続補正２】
【補正対象書類名】図面
【補正対象項目名】図６
【補正方法】変更
【補正の内容】
【図６】
2017527544.tif 000001
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
抗ＣＤ４５ＲＣ抗体を必要とする患者において同種異系移植拒絶を防止又は低下することにおける使用のための単離された抗ＣＤ４５ＲＣ抗体。
【請求項２】
同種異系移植拒絶が、抗ＣＤ４５ＲＣ抗体を必要とする患者における同種異系造血幹細胞拒絶（ＧＶＨＤ）、心臓、膵島、血管組織、腎臓、肺、及び肝臓移植拒絶反応からなる群より選択される、請求項１記載の使用のための抗ＣＤ４５ＲＣ抗体。
【請求項３】
同種異系移植拒絶が、ＧＶＨＤである、請求項１記載の使用のための抗ＣＤ４５ＲＣ抗体。
【請求項４】
同種異系移植拒絶が、心臓同種移植拒絶である、請求項２記載の使用のための抗ＣＤ４５ＲＣ抗体。
【請求項５】
抗ＣＤ４５ＲＣ抗体を必要とする患者において、ＣＤ４５ＲＣ＋細胞に関連付けられる、関節リウマチ、若年性少関節炎、コラーゲン誘導性関節炎、アジュバント誘導性関節炎、シェーグレン症候群、多発性硬化症、実験的な自己免疫性脳脊髄炎、炎症性腸疾患、自己免疫性胃萎縮症、尋常性天疱瘡、乾癬、白斑、１型糖尿病、非肥満糖尿病、重症筋無力症、グレーブス病、橋本甲状腺炎、硬化性胆管炎、硬化性唾液腺炎、全身性エリテマトーデス、自己免疫性血小板減少性紫斑病、グッドパスチャー症候群、アジソン病、全身性硬化症、多発性筋炎、  皮膚筋炎、後天性血友病、及び血栓性血小板減少性紫斑病からなる群より選択される自己免疫疾患；治療用タンパク質に対する望ましくない免疫応答；アレルギー及びリンパ腫又は癌を防止又は処置することにおける使用のための単離された抗ＣＤ４５ＲＣ抗体。
【請求項６】
抗体が、抗ＣＤ４５ＲＣモノクローナル抗体又はそのフラグメントである、請求項１〜５のいずれか一項記載の使用のための抗ＣＤ４５ＲＣ抗体。
【請求項７】
ＣＤ４５ＲＣモノクローナル抗体が、抗ヒトＣＤ４５ＲＣモノクローナル抗体である、請求項６記載の使用のための抗ＣＤ４５ＲＣ抗体。
【請求項８】
抗ＣＤ４５ＲＣ抗体が、ヒト化抗体又は完全ヒト抗体である、請求項１〜７のいずれか一項記載の使用のための抗ＣＤ４５ＲＣ抗体。
【請求項９】
単離された抗ヒトＣＤ４５ＲＣモノクローナル抗体及び医薬的に許容可能な賦形剤を含む、医薬的組成物。
【請求項１０】
単離された抗ヒトＣＤ４５ＲＣモノクローナル抗体及び免疫抑制薬を含む、医薬的組成物又はキット・オブ・パーツ組成物。
【請求項１１】
免疫抑制薬が、細胞増殖抑制剤、例えばラパマイシン（ｍＴＯＲ）阻害剤及びラパマイシン（シロリムス）の哺乳動物の標的；アルキル化剤（シクロホスファミド）及び代謝拮抗物質（アザチオプリン、メルカプトプリン、及びメトトレキサート）；治療用抗体（抗ＣＤ４０Ｌモノクローナル抗体、抗ＩＬ−２Ｒモノクローナル抗体、抗ＣＤ３モノクローナル抗体、抗リンパ球グロブリン（ＡＬＧ）、及び抗胸腺細胞グロブリン（ＡＴＧ））；カルシニューリン阻害剤（シクロスポリン）；グルココルチコイド及びミコフェノール酸モフェチルからなる群より選択される、請求項１０記載の医薬的組成物又はキット・オブ・パーツ組成物。
【請求項１２】
ＣＤ４５ＲＣ＋細胞に関連付けられる同種異系移植拒絶、自己免疫疾患、治療用タンパク質に対する望ましくない免疫応答、アレルギー及びリンパ腫又は癌を防止又は処置する際での使用のための、請求項９〜１１のいずれか一項記載の医薬的組成物又はキット・オブ・パーツ組成物。
【請求項１３】
治療有効量の抗ＣＤ４５ＲＣ抗体を患者に投与する工程を含む、それを必要とする患者において調節性Ｔ細胞を増殖及び／又は増強するための方法。
【請求項１４】
（ａ）治療有効量の抗ＣＤ４５ＲＣ抗体を用いて同種異系造血幹細胞（又は造血幹細胞移植片）を前処理する；及び  （ｂ）工程（ａ）で得られた前処理された同種異系造血幹細胞を、それを必要とする患者に投与する工程を含む、それを必要とする患者においてＧＶＨＤを防止又は低下するための方法。
【請求項１５】
治療有効量の抗ＣＤ４５ＲＣ抗体を患者に投与する工程を含む、移植患者において移植片の生存を改善するための方法。
【手続補正書】
【提出日】平成30年8月15日(2018.8.15)
【手続補正１】
【補正対象書類名】特許請求の範囲
【補正対象項目名】全文
【補正方法】変更
【補正の内容】
【特許請求の範囲】
【請求項１】
代謝障害の個体の血糖値を下げるのに使用するためのオートタキシン阻害剤。
【請求項２】
個体における血糖値は前記オートタキシン阻害剤の投与後に少なくとも１０％下がる、請求項１に記載のオートタキシン阻害剤。
【請求項３】
前記個体における血中のリゾホスファチジン酸（ＬＰＡ）レベルは、前記オートタキシン阻害剤の投与後に少なくとも２０％下がる、請求項１に記載のオートタキシン阻害剤。
【請求項４】
オートタキシン阻害剤は、タンパク質薬、ペプチド薬、ポリペプチド薬、ペプチド模倣薬、抗体薬、小分子薬、低分子干渉ＲＮＡコード化ポリヌクレオチド、アンチセンスＲＮＡコード化ポリヌクレオチド、またはリボザイムコード化ポリヌクレオチドからなる群から選択される薬剤である、請求項１に記載のオートタキシン阻害剤。
【請求項５】
オートタキシン阻害剤は、インドール含有小分子である小分子である、請求項１に記載のオートタキシン阻害剤。
【請求項６】
個体は血糖値が上昇している、請求項１に記載のオートタキシン阻害剤。
【請求項７】
個体の血糖値は、前記オートタキシン阻害剤の投与前、１００ｍｇ／ｄＬよりも高い、請求項１に記載のオートタキシン阻害剤。
【請求項８】
個体はメタボリック症候群を抱えている、請求項１乃至７の何れか１つに記載のオートタキシン阻害剤。
【請求項９】
個体は、腹部肥満、高血圧、空腹時の高血漿グルコース、高血清トリグリセリド、および低い高密度コレステロールレベル（ＨＤＬ）からなる群から選択される少なくとも１つの医学的状態を抱えている、請求項１乃至７の何れか１つに記載のオートタキシン阻害剤。
【請求項１０】
個体はインスリン抵抗性、２型糖尿病、少なくとも６．０％以上のＡ１Ｃレベルを有し、非アルコール性脂肪肝疾患（ＮＡＦＬＤ）、または非アルコール性の脂肪性肝炎と診断されたことがあり、耐糖能障害を抱えており、且つ前糖尿病性である、請求項１乃至７の何れか１つに記載のオートタキシン阻害剤。
【請求項１１】
個体は、少なくとも２５ｋｇ／ｍ２の肥満度指数を有するとともに、運動不足、糖尿病の一等親血縁者、リスクの高い人種または民族性、４．０８キログラムを超える重さの赤ん坊を出産した女性、以前に妊娠性糖尿病と診察されたことがある女性、高血圧、少なくとも０．９ｍｍｏｌ／Ｌ（３５ｍｇ／ｄＬ）よりも低いＨＤＬコレステロールレベル、少なくとも２．８２ｍｍｏｌ／Ｌ（２５０ｍｇ／ｄＬ）以上のトリグリセリドレベル、多嚢胞性卵巣症候群、重度の肥満、黒色表皮腫、および心血管疾患の女性からなる群から選択される糖尿病の危険因子の少なくとも１つ以上を有する、請求項１乃至７の何れか１つに記載のオートタキシン阻害剤。
【請求項１２】
個体は肥満である、請求項１乃至７の何れか１つに記載のオートタキシン阻害剤。
【請求項１３】
追加の治療薬をさらに含む、血糖値を下げるのに使用するための請求項１乃至７の何れか１つに記載のオートタキシン阻害剤。
【請求項１４】
追加の治療薬は、ペルオキシソーム増殖因子活性化受容体（ＰＰＡＲ）アゴニスト（ガンマ、デュアル、またはパン）、ジペプチジルペプチダーゼ（ＩＶ）阻害剤、グルカゴン様ペプチド−１（ＧＬＰ−Ｉ）アナログ、インスリンまたはインスリンアナログ、インスリン分泌促進物質、ナトリウムグルコース共輸送体２（ＳＧＬＴ２）阻害剤、ヒトアミリンアナログ、ビグアニド、グルコファージ、アルファ−グルコシダーゼ阻害剤、メグリチニド、チアゾリジンジオン、およびスルホニル尿素、またはこれらの任意の組み合わせからなる群から選択される、請求項１３に記載のオートタキシン阻害剤。
【請求項１５】
追加の治療薬は、アンジオテンシン変換酵素（ＡＣＥ）阻害剤、アンジオテンシンＩＩ受容体拮抗薬（ＡＲＢ）、β−遮断薬、利尿薬、カルシウムチャネル遮断薬、レニン−アンジオテンシン系（ＲＡＳ）の阻害剤、抗凝血薬、スタチン、および、フィブラート系薬剤、または、これらの任意の組み合わせからなる群から選択される、請求項１３に記載のオートタキシン阻害剤。
【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
ガラス容器であって、
外面及び該外面に対向する内面を有するガラス本体であって、前記外面及び前記内面が、それぞれ曲率半径を有し、
前記ガラス本体の前記外面が、該外面から最大初期欠陥深さＡｉで前記ガラス本体の厚さに延びる欠陥集団を含む、ガラス本体を備え、
前記ガラス本体の前記外面が、該外面に存在する、前記欠陥集団の前記最大初期欠陥深さＡｉの２５％以下の深さまでエッチングされ、
一軸圧縮荷重下において、前記外面の少なくとも一部が張力状態にあり、前記ガラス容器の一軸圧縮強度が、欠陥のないガラス容器の一軸圧縮強度の９０％以上であることを特徴とするガラス容器。
【請求項２】
前記ガラス容器の一軸圧縮強度が、欠陥のないガラス容器の一軸圧縮強度の９５％以上であることを特徴とする、請求項１記載のガラス容器。
【請求項３】
前記ガラス容器の破壊確率が、欠陥のないガラス容器の算出された破壊確率の１０％以内であることを特徴とする、請求項１又は２記載のガラス容器。
【請求項４】
前記ガラス容器の前記外面が、該外面に存在する、前記欠陥集団の前記最大初期欠陥深さＡｉの５％以上の深さまでエッチングされることを特徴とする、請求項１〜３いずれか1項記載のガラス容器。
【請求項５】
ガラス容器の信頼性を向上させる方法であって、
外面、該外面に対向する内面、前記外面から前記内面に延びる初期厚Ｔｉ、及び前記外面から前記初期厚Ｔｉに延びる、最大初期欠陥深さＡｉの欠陥集団を有するガラス容器を用意するステップと、
前記ガラス容器の少なくとも前記外面に化学処理を施すことによって、前記ガラス容器の前記外面及び前記欠陥集団内の各々の欠陥の近傍から、ガラス材料を一定の割合で選択的に除去するステップであって、前記化学処理が、該化学処理後、
前記最大初期欠陥深さＡｉを有する欠陥が、前記ガラス容器に残り、前記欠陥の先端に、前記化学処理前の前記欠陥の前記先端の初期応力集中係数Ｋｔｉより小さい、処理後応力集中係数Ｋｔｐｐを有し、
前記欠陥集団が、実質的にＡｉに等しい最大処理後欠陥深さＡｐｐを有し、
前記ガラス容器の処理後厚Ｔｐｐが、初期厚Ｔｉより薄く、
|Ｔｐｐ−Ｔｉ|が、|Ａｐｐ−Ａｉ|に実質的に等しくなる
温度及び時間で施される、ステップと、
を有することを特徴とする方法。
【請求項６】
前記外面及び内面が、それぞれ曲率半径を有することを特徴とする、請求項５記載の方法。
【請求項７】
前記ガラス容器の前記外面をエッチング溶液に接触させることによって、前記ガラス容器が化学的に処理され、前記エッチング溶液が、０．５Ｍ〜３．０Ｍの第１のモル濃度を有するフッ化水素酸と、前記第１のモル濃度の３〜６倍の第２のモル濃度を有する少なくとも１種の鉱酸との混合物を含み、
前記エッチング溶液が、ゲル層を生成せずに、ガラス材料を前記ガラス容器の前記外面、及び前記欠陥集団内の各々の欠陥の近傍から均一に除去する
ことを特徴とする、請求項５又は６記載の方法。
【請求項８】
前記ガラス容器の前記外面を、９０分以上、３６０分以下の処理時間、エッチング溶液に接触させることによって、前記ガラス容器が化学的に処理されることを特徴とする、請求項５〜７いずれか１項記載の方法。
【請求項９】
前記ガラス容器が、化学処理前に初期破壊確率Ｐｉを有し、前記ガラス容器が化学的に処理された後、エッチング後破壊確率Ｐｐｐを有し、ＰｐｐがＰｉより小さいことを特徴とする、請求項５〜８いずれか１項記載の方法。
【請求項１０】
前記欠陥集団内の各々の欠陥が、化学処理前に、前記欠陥の先端に初期曲率半径ｒｉを有し、化学処理後に、前記欠陥の前記先端にエッチング後曲率半径ｒｐｐを有し、ｒｉ≦ｒｐｐであることを特徴とする、請求項５〜９いずれか１項記載の方法。
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
患者の血液を輸送するための手段、
血液細胞及び血漿を分離するための手段、並びに、
可溶性骨シアロタンパク質（ＢＳＰ）用のトラップを介して前記血漿を輸送するための手段、ここで、前記ＢＳＰトラップは、固定化種を有する基質を含み、前記固定化種は、血管及び組織石灰化を妨げる濃度まで前記血液中の可溶性ＢＳＰ濃度を低下させてＢＳＰ枯渇血漿を生じるのに適合している、
を含み、前記固定化種は、血液、血漿又は血清中のヒトＢＳＰに特異的に結合する効果量の受容体分子からなる、インビトロにおける体外血液処理系。
【請求項２】
受容体分子は、ＢＳＰの抗原決定基又はエピトープを認識するモノクローナル抗体であり、前記ＢＳＰの抗原決定基又はエピトープは、血液、血漿又は血清において利用可能であって、前記モノクローナル抗体によって結合され、前記モノクローナル抗体の相補性決定領域（ＣＤＲ）は、配列番号４、５、６、７、８及び９のいずれかに記載されるタンパク質配列を含む、請求項１に記載のインビトロにおける体外血液処理系。
【請求項３】
受容体分子が、ヒトモノクローナル抗体又はヒト化モノクローナル抗体又はラットモノクローナル抗体である、請求項１又は２に記載のインビトロにおける体外血液処理系。
【請求項４】
血液及び／又は血漿を、カルシウムトラップを介して輸送するための手段、ここで、前記カルシウムトラップは、固定化種を有する基質を含み、前記固定化種は、体外血液処理系におけるカルシウム及びＢＳＰの沈殿物の形成を妨げる濃度まで前記血液中のカルシウム濃度を低下させてカルシウム枯渇血液を生じるのに適合している、
骨シアロタンパク質用のトラップをも含み得る体外血漿処理装置により前記カルシウムトラップの下流のカルシウム枯渇血液又は血漿を処理するための手段、並びに、
体外血液処理装置の下流の処理されたカルシウム枯渇血液中にカルシウムを注入して、処理されたカルシウム枯渇血液にカルシウムを添加するための手段
をさらに含む、請求項１〜３のいずれか一項に記載のインビトロにおける体外血液処理系。
【請求項５】
受容体分子又は抗体が、ビーズ、アガロース、アフェレーシスに使用される物質、血漿交換に使用される物質、マイクロタイタープレート、容器壁から選択されるいずれかの固相物質に結合している又は含有されている、請求項１〜４のいずれか一項に記載のインビトロにおける体外血液処理系。
【請求項６】
血液が、慢性腎疾患（ＣＫＤ）、末期腎疾患（ＥＳＲＤ）、組織及び血管石灰化、アテローム性動脈硬化症、動脈硬化症、動脈石灰化に罹患した患者由来のものである、請求項１〜５のいずれか一項に記載のインビトロにおける体外血液処理系。
【請求項７】
受容体分子又は抗体が、腎代替療法、透析、慢性腎疾患（ＣＫＤ）、末期腎疾患（ＥＳＲＤ）、組織及び血管石灰化、アテローム性動脈硬化症、動脈硬化症、動脈石灰化の診断システム、又はコンパニオン診断のためのキット内に含まれる、請求項１〜６のいずれか一項に記載のインビトロにおける体外血液処理系。
【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
必要とする対象者において白血病またはリンパ腫を治療するための、有効量のダブルネガティブ（ＤＮ）Ｔ細胞を含む医薬。
【請求項２】
前記白血病は、急性骨髄性白血病（ＡＭＬ）である、請求項１に記載の医薬。
【請求項３】
前記ＤＮＴは自家性である、請求項１または２に記載の医薬。
【請求項４】
前記ＤＮＴは同種性である、請求項１または２に記載の医薬。
【請求項５】
前記ＤＮＴは、がんのない１人以上の対象者からのＤＮＴである、請求項４に記載の医薬。
【請求項６】
前記対象者は、再発性、再燃性、または難治性のＡＭＬを有する対象者である、請求項１乃至５のいずれか１項に記載の医薬。
【請求項７】
前記ＤＮＴは、静脈注射による使用のためのものである、請求項１乃至６のいずれか１項に記載の医薬。
【請求項８】
前記ＤＮＴは、化学療法の前、途中、または後に使用するためのものである、請求項１乃至７のいずれか１項に記載の医薬。
【請求項９】
前記ＤＮＴは、化学療法の同日、３日以内、１週間以内、２週間以内、３週間以内、または１か月以内に使用するためのものである、請求項１乃至８のいずれか１項に記載の医薬。
【請求項１０】
前記ＤＮＴは、有効量のＤＮＴの１つ以上の追加用量のためのものである、請求項１乃至９のいずれか１項に記載の医薬。
【請求項１１】
前記追加用量は、最後のＤＮＴ投与の少なくとも３日後、最後のＤＮＴ投与の少なくとも５日後、または、任意に最後のＤＮＴ投与後３日から２週間の間に使用するものである、請求項１０に記載の医薬。
【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
第１の密度（Ｙ）を有する第１の熱可塑性材料を含むコア層であって、前記コア層はコア厚を有し、前記コア層は、
０．１Ｗ／ｍＫ以上の面貫通熱伝導率、および
Ｘ≧０．８Ｙであるコア層密度（Ｘ）
の少なくとも１つを有する、コア層と、
前記コア層の第１の側に配置された第２の熱可塑性材料を含む第１の外層と、
前記第１の側と反対の前記コア層の第２の側に配置された前記第２の熱可塑性材料を含む第２の外層と
を備える、Ａ−Ｂ−Ａ構造体であって
前記コア厚は、前記Ａ−Ｂ−Ａ構造体の全厚の３０％から７５％、または前記全厚の４０％から６０％、または前記全厚の４５％から５５％、または前記全厚の５５％から７０％であり、
前記コア層は、前記コア層の総体積に基づき、０ｖｏｌ％から３５ｖｏｌ％の強化材料と、１００ｖｏｌ％から６５ｖｏｌ％の前記第１の熱可塑性材料を含む、Ａ−Ｂ−Ａ構造体。
【請求項２】
全厚は０．５ｍｍから１．５ｍｍ、好ましくは０．５ｍｍから１．２５ｍｍ、または０．７５ｍｍから１．１ｍｍである、請求項１に記載の構造体。
【請求項３】
前記第１の熱可塑性材料および前記第２の熱可塑性材料はポリプロピレン、ポリアミド、ポリカーボネート、ポリフェニレンスルフィド、ポリエーテルイミド、ポリエーテルエーテルケトン、および前記の少なくとも１つを含む組み合わせを含み、好ましくは、前記第１の熱可塑性材料および前記第２の熱可塑性材料はポリカーボネートを含む、前記請求項のいずれか一項に記載の構造体。
【請求項４】
前記コア層は０ｗｔ％の強化材料を含む、前記請求項のいずれか一項に記載の構造体。
【請求項５】
前記コア層は、前記コア層の総体積に基づき、５ｖｏｌ％から３５ｖｏｌ％の強化材料、好ましくは５ｖｏｌ％から３０ｖｏｌ％の強化材料、または好ましくは５ｖｏｌ％から２５ｖｏｌ％の強化材料、または１０ｖｏｌ％から３５ｖｏｌ％の強化材料を含む、請求項１ないし３のいずれか一項に記載の構造体。
【請求項６】
前記第１の外層は、前記第１の外層の総重量に基づき、３５ｖｏｌ％以上の強化材料、好ましくは３５ｖｏｌ％から７０ｖｏｌ％の強化材料、または４０ｖｏｌ％から６０ｖｏｌ％の強化材料を含み、ならびに、前記第２の外層は前記第２の外層の総重量に基づき、３５ｖｏｌ％以上の強化材料、好ましくは３５ｖｏｌ％から７０ｖｏｌ％の強化材料、または４０ｖｏｌ％から６０ｖｏｌ％の強化材料を含む、請求項１ないし５のいずれか一項に記載の構造体。
【請求項７】
前記強化材料はファブリックであり、好ましくは、前記強化材料はパターン化ファブリックであり、
好ましくは、前記パターン化ファブリックは、
必要な場合に物品の適用のために強度および剛性を獲得するためのファブリックを用いたオーダーメイドパターン、
均一に繰り返されるパターンではないパターン、
粗い織りのファブリック、ならびに
前記ファブリックにわたって不均一な密度を有するファブリック、
の少なくとも１つを含む、請求項６に記載の構造体。
【請求項８】
前記強化材料は、３５ＧＰａ以上のモジュラスを有する、好ましくは４５ＧＰａ以上のモジュラスを有する高剛性無機繊維を含み、好ましくは、前記強化材料はガラス、炭素、石英、ホウ素、および前記の少なくとも１つを含む組み合わせを含む、請求項５ないし７のいずれか一項に記載の構造体。
【請求項９】
前記コア層は、１Ｗ／ｍＫ以上の熱伝導率を有する、前記請求項のいずれか一項に記載の構造体。
【請求項１０】
前記コア層密度（Ｘ）はＸ≧０．８Ｙであり、好ましくは、前記コア層密度（Ｘ）はＸ≧Ｙである、前記請求項のいずれか一項に記載の構造体。
【請求項１１】
前記第１の熱可塑性材料は第１のメルトフローレートを有し、前記第２の熱可塑性材料は第２のメルトフローレートを有し、前記第２のメルトフローレートは２×前記第１のメルトフローレート以上であり、好ましくは、前記第２のメルトフローレートは３×前記第１のメルトフローレート以上であり、より好ましくは、前記第２のメルトフローレートは２５ｇ／１０ｍｉｎ以上、好ましくは、前記第２のメルトフローレートは４５ｇ／１０ｍｉｎ以上であり、または前記第２のメルトフローレートは５０ｇ／１０ｍｉｎ以上であり、ならびに、好ましくは、
前記第１のメルトフローレートは１０ｇ／１０ｍｉｎ以下である、前記請求項のいずれか一項に記載の構造体。
【請求項１２】
平面上に置かれると、前記構造体は前記平面から、２ｍｍ以下、好ましくは１ｍｍ以下、または０．２ｍｍ以下の分離を含み、あるいは顕微鏡なしで測定可能な分離なしである、前記請求項のいずれか一項に記載の構造体。
【請求項１３】
前記第１の外層を射出金型の第１の側に配置する工程、
前記第２の外層を射出金型の第２の側に配置する工程、
前記金型を閉じる工程、
前記第１の熱可塑性材料を前記第１の外層と前記第２の外層の間に射出することにより、前記コア層を形成し、前記Ａ−Ｂ−Ａ構造体を形成させる工程、
前記金型を開き、前記Ａ−Ｂ−Ａ構造体を取り出す工程
を含む、前記請求項のいずれか一項に記載のＡ−Ｂ−Ａ構造体を製造するための方法。
【請求項１４】
前記Ａ−Ｂ−Ａ構造体の周りにフレームを形成する工程を含み、好ましくは、前記フレームは前記Ａ−Ｂ−Ａ構造体と適合性を有する材料を含み、より好ましくは、前記第１の熱可塑性材料を含み、そのため、前記Ａ−Ｂ−Ａ構造体は、前記フレームが前記Ａ−Ｂ−Ａ構造体の周りに形成される前、最初は平坦であり、前記Ａ−Ｂ−Ａ構造体が形成された後、平面上で測定されると前記平面から２ｍｍ以下、好ましくは１ｍｍ以下、または０．２ｍｍ以下の分離を有し、または顕微鏡なしで測定可能な分離なしである最終形状を有する、前記請求項のいずれか一項に記載のＡ−Ｂ−Ａ構造体を備えるハウジングを形成するための方法。
【請求項１５】
バッキングをさらに含む請求項１４に記載のハウジングと、
前記Ａ−Ｂ−Ａ構造体と前記バッキングの間に配置された電子部品と、
を含む、電子装置。
【手続補正書】
【提出日】平成30年8月15日(2018.8.15)
【手続補正１】
【補正対象書類名】特許請求の範囲
【補正対象項目名】全文
【補正方法】変更
【補正の内容】
【特許請求の範囲】
【請求項１】
ＭＲＩシステムにおいて側波帯域を抑制するための方法であって、前記方法は、
被検体の少なくとも２つのスライスを第１及び第２の周波数帯域において同時に励起するための第１のマルチバンドＲＦパルスを提供し、前記ＭＲＩシステムを使用して、励起された２つのスライスからのＭＲ信号と、前記２つのスライスとは異なるスライスの第１のマルチバンドＲＦパルスによる側波帯域励起から生じる第３の周波数帯域における少なくとも１つの追加ＭＲ信号とを取得するステップａ）と、
前記第１のマルチバンドＲＦパルス及び前記追加ＭＲ信号から事前補償項を導き、前記事前補償項を前記第１のマルチバンドＲＦパルスに加えて第２のマルチバンドＲＦパルスを取得し、これにより、前記第２のマルチバンドＲＦパルスにより被検体の前記少なくとも２つのスライスを励起する際に前記追加ＭＲ信号の少なくとも一部を抑制するため前記第１のマルチバンドＲＦパルスを前記第２のマルチバンドＲＦパルスで置き換えるステップｂ）と、
を含む、方法。
【請求項２】
抑制された前記追加ＭＲ信号の少なくとも一部が所定の最小側波帯域信号振幅よりも高くなるまで、前記追加ＭＲ信号を決定するステップと、前記ステップｂ）において前記第２のマルチバンドＲＦパルスを前記第１のマルチバンドＲＦパルスとして使用して導くステップｃ）とを繰り返すステップを含む、請求項１に記載の方法。
【請求項３】
前記ＭＲＩシステムのＲＦコイルからの信号を再構成するために前記第２のマルチバンドＲＦパルスを使用して前記少なくとも２つのスライスを励起するステップを含み、前記ＲＦコイルの１つのＲＦコイルから信号を再構成するステップは、式Ｓｑ＊（ｆ＊ｘ）ｑ，１に従って行われ、ここで、ｑは前記少なくとも２つのスライスのうちの１つのスライス及び追加スライスを指し、Ｓｑはｑについての前記１つのＲＦコイルの感度であり、ｆはｑにおける、全てのローブ（メイン及び追加の信号の成分を表すメインローブ及びサイドローブ）の正規化された測定信号振幅であり、ｘはｑからの信号である、請求項１又は２に記載の方法。
【請求項４】
前記追加ＭＲ信号を決定するステップは、
前記第１のマルチバンドＲＦパルスを使用して前記２つのスライスを励起するステップと、
前記第１のマルチバンドＲＦパルスに応答して前記２つのスライスについて取得されたＭＲデータを使用して画像を再構成するステップと、
再構成された前記画像を使用して前記追加ＭＲ信号を識別するステップとを含む、
請求項１乃至３の何れか一項に記載の方法。
【請求項５】
前記ＭＲＩシステムは、前記ＭＲＩシステムで生成されたＲＦパルスを増幅するためのＲＦ増幅器を備え、前記追加ＭＲ信号を決定するステップは、
前記第１のマルチバンドＲＦパルスを使用して前記２つのスライスを励起するステップと、
前記第１のマルチバンドＲＦパルスを前記ＲＦ増幅器の出力として又は前記ＭＲＩシステムのＲＦコイルの出力として受信するステップと、
受信された前記第１のマルチバンドＲＦパルスの周波数スペクトルを取得するために、前記受信された第１のマルチバンドＲＦパルスにフーリエ変換又はブロックシミュレーションを施すステップと、
前記周波数スペクトル内の前記追加ＭＲ信号を識別するステップとを含む、
請求項１乃至３の何れか一項に記載の方法。
【請求項６】
前記追加ＭＲ信号を決定するステップは、前記追加ＭＲ信号が前記第３の周波数帯域における側波帯域信号であることを示すデータを前記ＭＲＩシステムのユーザから受信するステップを含む、請求項１乃至３の何れか一項に記載の方法。
【請求項７】
前記追加ＭＲ信号を決定するステップは、１つ以上のマルチバンドＲＦパルス及び関連付けられた周波数スペクトルを示す履歴データを提供するステップと、
前記第１のマルチバンドＲＦパルスに対応する前記１つ以上のマルチバンドＲＦパルスの１つのマルチバンドＲＦパルスを識別するステップと、
識別された前記マルチバンドＲＦパルスに関連付けられた周波数スペクトルを使用して前記追加ＭＲ信号を識別するステップとを含む、
請求項１乃至３の何れか一項に記載の方法。
【請求項８】
前記識別するステップは、
前記被検体のジオメトリを決定するステップと、
周波数スペクトルにおける前記第１の周波数帯域及び前記第２の周波数帯域の周辺領域を決定するため、決定された前記ジオメトリを使用するステップと、
前記周辺領域内の前記追加ＭＲ信号を識別するステップとを含む、請求項４乃至７の何れか一項に記載の方法。
【請求項９】
前記第１のマルチバンドＲＦパルスは、Ａｅｉ（φ＋２πｆｔ）＋Ａｅｉ（φ−２πｆｔ）＝Ａｅｉφ・２・ｃｏｓ（２πｆ・ｔ）と定義され、前記第２のマルチバンドＲＦパルスは、Ａｅｉφ・（２・ｃｏｓ（２πｆ・ｔ）−ｈ（ｆ，ｔ））と定義され、ここで、
【数４】
2017527408.tif 000001
は事前補償項であり、ｓｋは前記第１の周波数帯域又は前記第２の周波数帯域における前記信号の１つの信号の振幅と前記第３の周波数帯域における前記追加ＭＲ信号の振幅との間の比を表すチューニングパラメータであり、（２ｋ）ｆは前記第３の周波数帯域を含み、φｋは前記追加信号と前記２つのスライスからの前記信号の１つの信号との間の位相差であり、Ｎは少なくとも１つの前記追加ＭＲ信号の数を決定する、請求項１乃至８の何れか一項に記載の方法。
【請求項１０】
前記第２のマルチバンドＲＦパルスは、Ａｅｉφ・ｇ（ｆ・ｔ）・ｍ（ｆ，ｔ）と定義され、ここで、ｍ（ｆ，ｔ）は調和関数であり、ｇ（ｆ，ｔ）＝２・ｃｏｓ（２πｆ・ｔ）であり、ｇ（ｆ，ｔ）ｍ（ｆ，ｔ）のｔについてのフーリエ変換は、ｆ及び−ｆにおいて１に近く、それ以外では０に近い応答を与える、請求項１乃至８の何れか一項に記載の方法。
【請求項１１】
請求項１乃至１０の何れか一項に記載の方法のステップを実行するコンピュータ実行可能命令を含む、コンピュータプログラム。
【請求項１２】
側波帯域抑制のための磁気共鳴イメージング（ＭＲＩ）システムのＲＦパルス生成器であって、被検体の少なくとも２つのスライスを第１及び第２の周波数帯域において同時に励起するための第１のマルチバンドＲＦパルスが提供され、前記ＭＲＩシステムを使用して、励起された前記２つのスライスからのＭＲ信号と、前記２つのスライスとは異なるスライスの側波帯域励起から生じる第３の周波数帯域における少なくとも１つの追加ＭＲ信号とを取得し、前記ＲＦパルス生成器は、前記追加ＭＲ信号を決定するために前記第１のマルチバンドＲＦパルスを使用し、前記第１のマルチバンドＲＦパルス及び前記追加ＭＲ信号から事前補償項を導き、前記事前補償項を前記第１のマルチバンドＲＦパルスに加えて第２のマルチバンドＲＦパルスを取得し、これにより、前記第２のマルチバンドＲＦパルスにより被検体の少なくとも２つのスライスを励起する際に、前記追加ＭＲ信号の少なくとも一部を抑制するために前記第１のマルチバンドＲＦパルスを前記第２のマルチバンドＲＦパルスで置き換える、ＲＦパルス生成器。
【請求項１３】
請求項１２に記載のＲＦパルス生成器を含む、磁気共鳴データを取得するためのＭＲＩシステム。
【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
患者の超音波画像を供給する超音波撮像装置であって、当該超音波撮像装置は、
ある視野において患者の体の超音波データを取得する超音波取得ユニットと、
前記患者の体内の位置を決定する位置決定ユニットと、
前記視野における前記超音波データを、決定された前記位置に基づいて、前記超音波取得ユニットの視野方向とは異なる仮想視野方向を有する仮想視野における変換された超音波データに変換する超音波データ変換ユニットと
を備え、
前記位置決定ユニットが、前記超音波データをセグメント化し、セグメンテーションデータを供給するセグメンテーションユニットを備え、
前記位置決定ユニットが、前記超音波データに基づくか、前記セグメンテーションデータに基づくか、又はＸ線ユニットによって供給されるＸ線データに基づいて、前記位置を決定し、前記セグメンテーションデータに基づいて識別された解剖学的特徴のみに基づくか、又はさらに前記超音波データ若しくは前記Ｘ線データに基づいて、前記仮想視野方向を決定する、
超音波撮像装置。
【請求項２】
前記位置は、前記位置決定ユニットによって決定される、前記患者の体内のカテーテルプローブの位置である、請求項１に記載の超音波撮像装置。
【請求項３】
前記位置決定ユニットが、前記患者の体内の前記カテーテルプローブの向きを決定し、前記仮想視野方向が、前記カテーテルプローブの前記向きに基づいて決定される、請求項２に記載の超音波撮像装置。
【請求項４】
前記仮想視野が、前記決定された位置からの仮想視野方向として決定される、請求項１に記載の超音波撮像装置。
【請求項５】
前記位置決定ユニットが、ユーザ入力に基づいて前記仮想視野方向の方向及び前記位置を決定するための入力装置を備える、請求項１に記載の超音波撮像装置。
【請求項６】
前記入力装置が、前記超音波取得ユニットから受け取った前記超音波データ内の前記位置を決定する、請求項５に記載の超音波撮像装置。
【請求項７】
前記仮想視野方向に前記変換された超音波データを表示するディスプレイユニットを備える、請求項１に記載の超音波撮像装置。
【請求項８】
前記超音波取得ユニットが、前記患者の体外に配置される外部超音波取得ユニット、又はカテーテルをベースとする超音波取得ユニットである、請求項１に記載の超音波撮像装置。
【請求項９】
前記超音波データが、超音波測定値をそれぞれが含む複数のボクセルを含み、前記超音波データ変換ユニットが、前記視野における前記ボクセルの前記超音波測定値を前記仮想視野のボクセルに変換する、請求項１に記載の超音波撮像装置。
【請求項１０】
患者の超音波画像を供給する超音波撮像方法であって、
ある視野における患者の体の超音波データを受信するステップと、
前記患者の体内の位置を決定するステップと、
前記視野における前記超音波データを、決定された前記位置に基づいて、前記視野の視野方向とは異なる仮想視野方向を有する仮想視野における変換された超音波データに変換するステップと、
セグメンテーションデータを供給するために、前記超音波データをセグメント化するステップと、
前記超音波データに基づくか、前記セグメンテーションデータに基づくか、又はＸ線ユニットによって供給されるＸ線データに基づいて、前記位置を決定するステップと、
前記セグメンテーションデータに基づいて識別された解剖学的特徴のみに基づくか、又はさらに前記超音波データ若しくは前記Ｘ線データに基づいて、前記仮想視野方向を決定するステップと、
を含む、超音波撮像方法。
【請求項１１】
コンピュータプログラムがコンピュータ上で実行されたとき、前記コンピュータに請求項１０に記載の方法のステップを実行させるプログラムコード手段を含む、コンピュータプログラム。
【手続補正書】
【提出日】平成30年6月21日(2018.6.21)
【手続補正１】
【補正対象書類名】明細書
【補正対象項目名】０００７
【補正方法】変更
【補正の内容】
【０００７】
米国特許出願公開第２００９／００２０４３０号明細書および米国特許出願公開第２０１０／０１７０７８４号明細書は、水、１−ブタノール、ポリウレタンおよびカーボンの混合物を含む被覆物の準備を開示する。被覆物は、カーボン紙上に被覆され、室温においてセ氏８０°で乾燥される。
【手続補正２】
【補正対象書類名】明細書
【補正対象項目名】０００９
【補正方法】変更
【補正の内容】
【０００９】
【特許文献１】国際特許公開ＷＯ２０１０／１３１９５１
【特許文献２】米国特許出願公開第２００９／００２０４３０号明細書
【特許文献３】米国特許出願公開第２０１０／０１７０７８４号明細書
【特許文献４】米国特許第６，７０９，５６０号